【手続補正書】
【提出日】平成17年12月1日(2005.12.1)
【手続補正１】
【補正対象書類名】明細書
【補正対象項目名】特許請求の範囲
【補正方法】変更
【補正の内容】
【特許請求の範囲】
【請求項１】  記録媒体の再生を行う再生部と、
前記再生部の動作の切換操作を行う第１の操作部と、を備え、
前記第１の操作部は、第１の位置と第２の位置に移動可能な操作ツマミと、前記操作ツマミを回動可能及び軸方向へ移動可能に支持する支持部材と、前記操作ツマミの移動時にクリック感を生じさせるクリック感発生機構を有し、
前記クリック感発生機構は、前記第１の位置及び第２の位置にそれぞれ対応して設けられた第１の凹部及び第２の凹部と、前記第１の凹部及び第２の凹部との間を移動する鋼球と、前記鋼球を前記第１の凹部又は第２の凹部に付勢する弾性体と、前記弾性体及び前記鋼球を保持する筐体を設けてなることを特徴とする再生装置。
【請求項２】  前記操作ツマミは、前記再生部が収納されたケーシングに対して回動可能に設けられていると共に、前記回動の軸心線に沿って直線的に移動され、前記ケーシング側の前記第１の位置と前記ケーシングから離間した側の前記第２の位置とに選択的に切換可能であることを特徴とする請求項１記載の再生装置。
【請求項３】  前記第１の操作部の近傍には、操作されることによって前記再生部に対する電源の供給をオン・オフ切り換える第２の操作部を設けたことを特徴とする請求項１記載の再生装置。
【請求項４】  前記第１の操作部は、前記第１の位置にあるときには前記再生部を第１の動作モードとし、前記第２の位置にあるときには前記再生部を第２の動作モードとすることを特徴とする請求項１記載の再生装置。
【請求項５】  前記クリック感発生機構の前記筐体には前記鋼球の一部が露出される開口窓を設け、前記開口窓から露出された前記鋼球の露出部を前記第１の凹部及び第２の凹部に選択的に係合させるようにしたことを特徴とする請求項１記載の記憶装置の識別情報生成装置。
【請求項６】  前記操作ツマミには、前記第１の位置及び第２の位置において回動されることにより前記第１の動作モード又は第２の動作モードで前記再生部の動作の切換操作を行う操作片を有する回動部材が弾性片によって固定されると共に、前記弾性片の撓みを阻止して当該操作ツマミが前記ケーシングから脱落するのを防止する規制部を当該ケーシングに設けたことを特徴とする請求項１記載の再生装置。
【手続補正２】
【補正対象書類名】明細書
【補正対象項目名】０００２
【補正方法】変更
【補正の内容】
【０００２】
【従来の技術】
従来の、この種の再生装置としては、例えば、特許文献１に記載されているようなものがある。この特許文献１には、データの切換操作と音量調節操作とを１つの操作部で行うことができる操作装置及びこの操作装置を用いる再生装置に関するものが記載されている。
【手続補正３】
【補正対象書類名】明細書
【補正対象項目名】０００９
【補正方法】変更
【補正の内容】
【０００９】
【課題を解決するための手段】
前記課題を解決し、前記目的を達成するため、本出願の請求項１記載の再生装置は、記録媒体の再生を行う再生部と、その再生部の動作の切換操作を行う第１の操作部と、を備え、第１の操作部は、第１の位置と第２の位置に移動可能な操作ツマミと、その操作ツマミを回動可能及び軸方向へ移動可能に支持する支持部材と、操作ツマミの移動時にクリック感を生じさせるクリック感発生機構を有し、クリック感発生機構は、第１の位置及び第２の位置にそれぞれ対応して設けられた第１の凹部及び第２の凹部と、第１の凹部及び第２の凹部との間を移動する鋼球と、その鋼球を第１の凹部又は第２の凹部に付勢する弾性体と、その弾性体及び鋼球を保持する筐体を設けてなることを特徴としている。
【手続補正４】
【補正対象書類名】明細書
【補正対象項目名】００１５
【補正方法】変更
【補正の内容】
【００１５】
前述のように構成したことにより、本出願の請求項１記載の再生装置では、第１の操作部が操作ツマミと支持部材とクリック感発生機構を有し、クリック感発生機構には第１の凹部及び第２の凹部と鋼球と弾性体と筐体を設け、筐体内に保持された鋼球を弾性体で付勢して、その鋼球を第１の凹部又は第２の凹部に選択的に係合させることにより、第１の操作部において長期間に亘って感度の良いクリック感を発生させることができる。
【手続補正５】
【補正対象書類名】明細書
【補正対象項目名】００２１
【補正方法】変更
【補正の内容】
【００２１】
【発明の実施の形態】
以下、本発明の実施の例を、添付図面を参照して説明する。図１〜図１４は、本発明の実施の例を示すものである。即ち、図１は本発明の再生装置である電子機器の一実施例を示す斜視図、図２は同正面図、図３は同右側面図、図４は同平面図、図５は同分解斜視図、図６は図５の要部を拡大して示す説明図、図７は図６に示す支持部材、操作ツマミ及び操作釦を逆側から見た斜視図、図８は同縦断面図、図９は操作部の縦断面図、図１０は第１の操作部が第１の位置にある状態を示す説明図、図１１は図９の操作部を別の角度から見た説明図、図１２は第１の操作部が第２の位置にある状態を示す説明図、図１３は図１２の操作部を別の角度から見た説明図、図１４は第１の操作部の第１の位置と第２の位置の説明図である。
【手続補正６】
【補正対象書類名】明細書
【補正対象項目名】００２２
【補正方法】変更
【補正の内容】
【００２２】
まず、本発明の再生装置である電子機器について説明する。図１〜図１４に示す電子機器は、記録媒体を外付け記憶装置として用いることができる携帯型オーディオプレーヤである。この携帯型オーディオプレーヤ１は、内蔵された記憶装置に音楽やその他の情報を記録し、その記録された音楽やその他の情報を屋外やその他任意の場所で手軽に聞くことができるようにしたもので、本発明の再生装置の実施の例を示すものである。
【手続補正７】
【補正対象書類名】明細書
【補正対象項目名】００３４
【補正方法】変更
【補正の内容】
【００３４】
第１の操作部５は、下部ケース１５に固定される支持部材３４と、この支持部材３４に回動自在に支持される操作ツマミ３５と、この操作ツマミ３５に固定される回動部材３６と、操作ツマミ３５を支持部材３４に対して所定位置に保持する捩りコイルバネ３７と、操作ツマミ３５の軸方向への移動に際してクリック感を生じさせるクリック感発生機構３８と、操作ツマミ３５の回動方向を検出する第１及び第２の検出スイッチ４０，４１と、操作ツマミ３５の軸方向への移動を検出する位置検出スイッチ４２から構成されている。
【手続補正８】
【補正対象書類名】明細書
【補正対象項目名】００３６
【補正方法】変更
【補正の内容】
【００３６】
図６〜図９に示すように、第１の操作部５の支持部材３４は、同心上に配置された内筒部３４ａ及び外筒部３４ｂと、これらと一体に形成された固定片３４ｃとからなり、固定片３４ｃを取付ネジ８５ａでネジ止めすることによって下部ケース１５に固定されている。支持部材３４の内筒ブ３４ａ及び外筒部３４ｂに対応して操作ツマミ３５には、同じく同心上に配置された外側筒部３５ａ及び内側筒部３５ｂが設けられている。これらの筒部３５ａ，３５ｂは、組立時において互い違いに噛み合うように径を異にして形成されており、外筒部３４ｂの外側に外側筒部３５ａが配置され、外筒部３４ｂと内筒部３４ａとの間に内側筒部３５ｂが配置されている。
【手続補正９】
【補正対象書類名】明細書
【補正対象項目名】００３７
【補正方法】変更
【補正の内容】
【００３７】
操作ツマミ３５の内側筒部３５ｂの外周面には、軸方向に延びる複数の係合溝８５が設けられており、これらの係合溝８５には回動部材３６に設けた同数の弾性片３６ａが係合され、これによって回動部材３６が操作ツマミ３５と回転方向に一体とされている。回動部材３６は、リング体の一面側に突出された前記複数の弾性片３６ａと、他面側に突出された操作舌片３６ｂとを有している。
【手続補正１０】
【補正対象書類名】明細書
【補正対象項目名】００３８
【補正方法】変更
【補正の内容】
【００３８】
回動部材３６の操作舌片３６ｂは、第１及び第２の検出スイッチ４０，４１と、位置検出スイッチ４２をオン・オフ動作させるものである。また、回動部材３６の各弾性片３６ａは、係合溝８５に係合された状態で支持部材３４の内筒部３４ａと外筒部３４ｂとの間に介在され、外筒部３４ｂによって撓み変形が阻止されている。これにより、各弾性片３６ａの撓み変形を阻止して回動部材３６が操作ツマミ３５から脱落するのを防止している。
【手続補正１１】
【補正対象書類名】明細書
【補正対象項目名】００４０
【補正方法】変更
【補正の内容】
【００４０】
また、カバーリング４４には複数の弾性片４４ａが設けられている。これら複数の弾性片４４ａを支持部材３４の外筒部３４ｂに設けた係合穴８６に係合することによってカバーリング４４が支持部材３４に一体的に固定される。このカバーリング４４で抜け止めされた操作釦４５の中心部に操作軸４６が圧入等の固着手段によって固定されている。この操作軸４６が貫通する支持部材３４の内筒部３４ａの外周面には、第１の位置を設定する周方向に延びる長溝からなる第１の凹部８７と、第２の位置を設定する周方向に延びる長溝からなる第２の凹部８８が操作軸４６の軸方向へ所定間隔あけて設けられている。
【手続補正１２】
【補正対象書類名】明細書
【補正対象項目名】００４６
【補正方法】変更
【補正の内容】
【００４６】
第１及び第２の検出スイッチ４０，４１は、上部ケース１６に固定される上部配線基板９４に取り付けられている。即ち、第１及び第２の検出スイッチ４０，４１は、回動部材３６の操作舌片３６ｂの回動方向両側に分散されて配置されている。そして、電源スイッチ４７は、操作軸４６の端面に対向するように配置されている。
【手続補正１３】
【補正対象書類名】明細書
【補正対象項目名】００５９
【補正方法】変更
【補正の内容】
【００５９】
【発明の効果】
以上説明したように、本出願の請求項１記載の再生装置によれば、再生部と第１の操作部を備え、第１の操作部には第１の凹部及び第２の凹部と鋼球と弾性体と筐体とからなるクリック感発生機構を設け、筐体内に保持された鋼球を弾性体で付勢して、その鋼球を第１の凹部又は第２の凹部に選択的に係合させる構成としたため、第１の操作部において長期間に亘って感度の良いクリック感を発生させることができるという効果がえられる。
【手続補正１４】
【補正対象書類名】明細書
【補正対象項目名】図１
【補正方法】変更
【補正の内容】
【図１】
本発明の再生装置の一実施例を示すもので、携帯型オーディオプレーヤを示す斜視図である。
【手続補正１５】
【補正対象書類名】明細書
【補正対象項目名】図７
【補正方法】変更
【補正の内容】
【図７】
図６に示す支持部材、操作ツマミ及び操作釦を図６の逆側から見た斜視図である。
【手続補正１６】
【補正対象書類名】明細書
【補正対象項目名】図８
【補正方法】変更
【補正の内容】
【図８】
図６に示す支持部材、操作ツマミ及び操作釦の縦断面図である。